(57)【要約】【課題】  より優れた空気調和機能を有する空気調和機を提供する。【解決手段】  本発明による空気調和機は、空気調和機の外観を成すキャビネット３０と、このキャビネットの下部に設けられ、前面に空気が吸入される下部吸入口が形成されたベース２と、空気の異物質を除去するためにベースの上側に多層に設けられた各フィルタ６，７，８と、これら各フィルタが挿入されて固定される各フィルタフレーム１０とを備えている。【選択図】  図８
2005221220.tif 000002
【特許請求の範囲】
【請求項１】
空気調和機の外観を成すキャビネットと、
該キャビネットの下部に設けられ、前面に空気が吸入される下部吸入口が形成されたベースと、
前記空気の異物質を除去するために前記ベースの上側に多層に設けられた各フィルタと、
該各フィルタが挿入されて固定される各フィルタフレームと、を含むことを特徴とする空気調和機。
【請求項２】
前記フィルタフレームは、
各両側面及び後方面をカバーするカバー部と、
該カバー部の内側に上下に所定間隔を有して多層に形成された各支持ガイドと、を含むことを特徴とする請求項１記載の空気調和機。
【請求項３】
前記各支持ガイドは、
前記カバー部の前面両側面を連結する第１部材と、
該第１部材と前記カバー部の後方面とを連結する各第２部材と、を含むことを特徴とする請求項２記載の空気調和機。
【請求項４】
前記カバー部の各両側面の前方側上部は、水平部と垂直部とが反復する階段状をなし、前記第１部材は、前記水平部に装着されることを特徴とする請求項２記載の空気調和機。
【請求項５】
前記カバー部の両側には、第１ホールが形成された突出部が設けられ、前記ベースで前記第１ホールと対応する位置に第２ホールが形成され、締結部材が前記各ホールを貫通してベースに締結されることを特徴とする請求項２記載の空気調和機。
【請求項６】
前記ベースの上部には、前記突出部の位置を整列するアライン突起が提供されることを特徴とする請求項２記載の空気調和機。
【請求項７】
前記ベースの上面両側に“Ｌ”状に突出し、第１フィルタがその内側にスライディングしながら挿入される第１ガイドが設けられることを特徴とする請求項２記載の空気調和機。
【請求項８】
前記フィルタフレームは、
上面に第２フィルタがスライディングしながら挿入されるように前記フィルタフレームの下部に設けられる第２支持ガイドと、
前記第１ガイドの上側に設けられ、上面に第３フィルタがスライディングしながら挿入される第３支持ガイドと、を含むことを特徴とする請求項１記載の空気調和機。
【請求項９】
前記挿入された第３フィルタが上側に離脱することを防止するため、前記第３支持ガイドの上側に“Ｌ”状に突出した第４支持ガイドを更に含むことを特徴とする請求項８記載の空気調和機。
【請求項１０】
前記第３フィルタは、ナノ銅フィルタとナノ銀フィルタを含むように構成されることを特徴とする請求項８記載の空気調和機。
【請求項１１】
前記第２フィルタの下部には、ヘパフィルタが設けられることを特徴とする請求項８記載の空気調和機。
【請求項１２】
前記第２フィルタの上部には、ナノカーボンフィルタが設けられることを特徴とする請求項８記載の空気調和機。
【請求項１３】
前記吸入口には、前面から吸入された空気を内側に案内するためにラウンド状の吸入ガイドが形成されることを特徴とする請求項１記載の空気調和機。
【請求項１４】
前記フィルタフレームの上部には、光触媒プラズマ空気清浄器（ｐｈｏｔｏ−ｃａｔａｌｙｓｔ  ｐｌａｓｍａ  ａｉｒ  ｐｕｒｉｆｉｅｒ）が設けられることを特徴とする請求項１記載の空気調和機。
【請求項１５】
前記キャビネットは、前面に対して所定角度をなし、後方に傾斜した一対の側面部を有して、
前記キャビネットの上部には、上部吐出口が形成され、該各側面部の上部には各側面吐出口が形成され、該各側面部の下部には各側面吸入口が形成されることを特徴とする請求項１記載の空気調和機。
【請求項１６】
前記各吸入口及び各吐出口を選択的に開閉するためにマイクロコンピュータにより制御される各ベインが設けられることを特徴とする請求項１５記載の空気調和機。
【請求項１７】
室内の空気を冷／暖房するために作動する場合には、
前記各吸入口及び各吐出口に設けられた各ベインが全部開放されることを特徴とする請求項１６記載の空気調和機。
【請求項１８】
室内の空気を浄化するために作動する場合には、
前記各下部吸入口及び各上部吐出口に設けられたベインは開放され、
前記各側面吸入口及び各上部吐出口に設けられた各ベインは閉鎖されることを特徴とする請求項１６記載の空気調和機。
【請求項１９】
停止状態においては、
前記各吸入口及び各吐出口に設けられた各ベインが全部閉鎖されることを特徴とする請求項１６記載の空気調和機。
【請求項２０】
前記キャビネットの前面は、開閉可能な前面パネルであることを特徴とする請求項１５記載の空気調和機。
【請求項２１】
前記キャビネットは、後面に対して所定角度をなして前方に傾斜した一対の後方側面部を有することを特徴とする請求項１５記載の空気調和機。
【請求項２２】
前記各吸入口には、空気を浄化する各フィルタが設けられることを特徴とする請求項１記載の空気調和機。
【請求項２３】
各空気吸入口と各空気吐出口が形成された空気調和機の室内機のキャビネットと、
該キャビネットの下部に設けられ、前面に下部吸入口が形成されたベースと、
前記下部吸入口の上部に多層に設けられた各フィルタと、
前記各吸入口及び各吐出口を選択的に開閉する開閉手段と、を含むことを特徴とする空気調和機。
【請求項２４】
室内空気を冷／暖房する場合には、前記各空気吸入口及び各空気吐出口が全部開放され、
室内空気を浄化する場合には、前記下部吸入口は開放されて前記各側面吐出口は密閉されることを特徴とする請求項２３記載の空気調和機。
【請求項２５】
前記開閉手段は、
前記各空気吸入口及び各空気吐出口に回転可能に装着された各ベインと、
該各ベインと連結されたモータと、
該モータの駆動を制御するマイクロコンピュータと、を含むことを特徴とする請求項２３記載の空気調和機。
【発明の詳細な説明】
【技術分野】
【０００１】
本発明は、空気調和機に係るもので、より詳しくは一層向上された空気浄化機能を有する空気調和機に関する。
【背景技術】
【０００２】
一般に、空気調和機は室内の空気を調節して使用者により快適な室内環境を提供する装置である。該空気調和機は、圧縮機、凝縮機、膨張バルブ及び蒸発器を含んで構成され、それらの内部を循環する冷媒の熱力学的状態の変化を利用して室内空気を冷房又は暖房する。又、上記空気調和機は、内部に提供されたフィルタを通して室内の空気を浄化する機能も遂行する。
【０００３】
上記空気調和機は、分離型と一体型とに大別される。ここで、一体型は、室外機と室内機を一つのケース内に含み、一般に窓に設置される。一方、分離型は室内機と室外機とが分離して提供され、室内機と室外機とは冷媒配管により連結される。
【０００４】
図１乃至図４は、従来技術に係る分離型空気調和機の室内機を示したものである。
上記空気調和機の室内機は、図１に示したように、ベース１０１、キャビネット１０２、送風機及び熱交換器１３０を含む。
【０００５】
ここで、上記キャビネット１０２は、上記室内機の外観を成して、該キャビネット１０２の前方には前面パネル１０４が設けられる。該前面パネル１０４の上部前面及び両側面には各吐出口１０４ａ、１０４ｂ、１０４ｃが形成され、下部の両側面には各吸入口１０４ｄ、１０４ｅが形成される。
【０００６】
上記キャビネット１０２の内部には、図２に示したように、熱交換器１３０及び送風機１２０が設けられ、上記キャビネット１０２の下部にはベース１０１が設けられる。
【０００７】
上記前面パネル１０４の上部前面に形成された吐出口１０４ａは、図３及び図４に示したように、昇降可能に提供された駆動パネル１１０により選択的に開閉される。上記吐出口１０４ａは上記駆動パネル１１０が上昇すると閉鎖され、下降すると開放される。又、上記駆動パネル１１０が上昇した場合に発生する段差を除去するために、前後移動の可能な移動パネル１１２が設けられる。
上記各側面吐出口１０４ｂ、１０４ｃには、風向を調節するために回転可能な吐出パネル１１４、１１６が設けられる。
一方、各側面吸入口１０４ｄ、１０４ｅの内側にはエアーフィルタ１０９が設けられる。上記送風機１２０の前方両側には、上記フィルタ１０９を通過した空気中の異物質をイオン化して捕集する電気集塵機１２１、１２２が設けられる。
【０００８】
従来技術に係る室内機の動作は次の通りである。
上記送風機１２０が駆動すると、室内空気は上記各吸入口１０４ｄ、１０４ｅを通して上記室内機の内部に流入する。この時、上記エアーフィルタ１０９及び集塵機１２１、１２２により空気中の異物質が除去される。次いで、上記空気は熱交換器１３０で送風されて冷媒と熱交換される。この時、冷却／加熱された空気は上記各吐出口１０４ａ、１０４ｂ、１０４ｃを通して室内に再び吐出される。
【発明の開示】
【発明が解決しようとする課題】
【０００９】
しかしながら、従来技術に係る空気調和機は次のような問題点を有する。
上記各両側吸入口を通して吸入される空気の風量が小さいため、室内を冷暖房するための時間がとてもかかる。
又、室内の空気を冷暖房するときだけでなく、浄化させる場合にも上記各両側吸入口を通して空気が吸入される。従って、より優れた浄化機能を実現することができず、浄化するのに時間がとてもかかる。
【００１０】
本発明は、従来技術の問題点を解決するために案出されたもので、より優れた空気調和機能を有する空気調和機を提供することを目的とする。
【課題を解決するための手段】
【００１１】
上記目的を達成するため、本発明による空気調和機においては、室内機の外観を成すキャビネットと、該キャビネットの下部に設けられ、前面に空気が吸入される下部吸入部が形成されたベースと、前記空気の異物質を除去するために前記ベースの上側に多層に設けられた各フィルタと、該各フィルタが挿入して固定されるフィルタフレームと、を備えたことを特徴とする空気調和機を提供する。
【００１２】
ここで、上記フィルタフレームは、各両側面及び後方面をカバーするカバー部と、該カバー部の内側に上下に所定間隔を有して多層に形成された各支持ガイドと、を備えるように構成される。前記各支持ガイドは、前記カバー部の前方両側面を連結する第１部材と、該第１部材と前記カバー部の後方面とを連結する第２部材と、を含めように構成される。
又、前記カバー部の各両側面の前方側上部は水平部と垂直部とが反復する階段状をなしており、前記第１部材は前記水平部に装着される。前記カバー部の両側には第１ホールが形成された突出部が設けられ、前記ベースには前記第１ホールと対応する位置に第２ホールが形成され、締結部材が前記各ホールを貫通してベースに締結される。前記ベースの上部には、前記突出部の位置を整列するアライン突起が設けられる。
又、前記ベースの上面両側に“Ｌ”字状に突出し、第１フィルタがその内側にスライディングしながら挿入される第１ガイドが設けられる。
【００１３】
一方、前記フィルタフレームは、上面に第２フィルタがスライディングしながら挿入されるように前記フィルタフレームの下部に設けられる第２支持ガイドと、前記第１ガイドの上側に設けられ、上面に第３フィルタがスライディングしながら挿入される第３支持ガイドとを含む。ここで、前記挿入された第３フィルタが上側に離脱することを防止するために、前記第３支持ガイドの上側に“Ｌ”字状に突出した第４支持ガイドを更に含む。
【００１４】
ここで、前記第３フィルタは、ナノ銅フィルタとナノ銀フィルタを含む。前記第２フィルタの下部にはヘパフィルタ（ＨＥＰＡ  ｆｉｌｔｅｒ）が設けられる。そして、前記第２フィルタの上部にはナノカーボンフィルタが設けられる。
【００１５】
前記吸入口には、前面から吸入された空気を上側に案内するためにラウンド状の吸入ガイドが形成される。前記フィルタフレームの上部には光触媒プラズマ空気清浄器が設けられる。
【００１６】
一方、前記キャビネットは、前面に対して所定角度をなして後方に傾斜した一対の側面部を有し、前記キャビネットの上部には上部吐出口が形成され、前記各側面部の上部には各側面吐出口が形成され、前記各側面部の下部には各側面吸入口が形成される。ここで、前記各吸入口及び各吐出口を選択的に開閉するためにマイクロコンピュータにより制御される各ベインが設けられる。
室内の空気を冷／暖房するために作動する場合には、前記各吸入口及び各吐出口に設けられた各ベインが全部開放される。
【００１７】
室内の空気を浄化するために作動する場合には、前記各下部吸入口及び各上部吐出口に設けられた各ベインが全部開放され、前記各側面吸入口及び前記各側面吐出口に設けられた各ベインは閉鎖される。
停止状態においては、前記各吸入口及び各吐出口に設けられた各ベインが全部閉鎖される。
【００１８】
ここで、前記キャビネットの前面は開閉可能な前面パネルから成る。前記キャビネットは後面に対して所定角度をなして前方に傾斜した一対の後方側面部を有する。前記各側面吸入口には空気を浄化する各フィルタが設けられる。
【００１９】
一方、上記目的を達成するために、本発明は、各空気吸入口と各空気吐出口が形成された空気調和機室内機のキャビネットと、該キャビネットの下部に設けられ、前面に下部吸入口が形成されたベースと、前記下部吸入口の上部に多層に設けられた各フィルタと、前記各空気吸入口及び各空気吐出口を選択的に開閉する開閉手段とを備えるように構成される。
【００２０】
ここで、室内空気を冷／暖房する場合には、前記各空気吸入口と各空気吐出口が全部開放され、室内空気を浄化する場合には前記各下部吸入口は開放されて前記各側面吐出口は密閉される。
【００２１】
前記開閉手段は、前記各空気吸入口及び各空気吐出口に回転可能に装着された各ベインと、該各ベインと連結されたモータと、該モータの駆動を制御するマイクロコンピュータとを備えるように構成される。
【発明の効果】
【００２２】
上記のように、本発明に係る空気調和機の室内機には次のような効果がある。
【００２３】
第一に、上記下部吸入口の上側に多層の高性能フィルタが提供されるので、室内空気の空気浄化性能がより向上される。即ち、室内の空気を浄化する場合に上記各側面吸入口及び各側面吐出口が閉鎖されることで、上記下部吸入口を通過した空気がより迅速、且つ、きれいに浄化され得る。
【００２４】
第二に、上記フィルタフレームの開放された前方を通して上記フィルタを各支持ガイドの間にスライディングさせながら容易に挿入し得る。又、前面パネルを開放して上記フィルタをより容易に交替し得る。
【００２５】
第三に、上記フィルタフレームの前方側側面が階段状に形成され、上記各フィルタガイドが上記階段状の側面に干渉されないように装着される。従って、上記フィルタフレームは最小限の体積で複数個のフィルタが相互干渉されることなく、多層に装着される構造が提供される。
【００２６】
第四に、上記フィルタフレームの側面に提供された各突出部は、アライン突起と接触することで、さらに容易に正確な位置にローディングされ得る。従って、上記フィルタフレームの組立時間を短縮させる。
【００２７】
第五に、室内を冷／暖房する場合には、吐出口を全部開放して風量を増加させ得ることで、より迅速に空気を調和し得る。
【発明を実施するための最良の形態】
【００２８】
以下、本発明に係る空気調和機の実施形態について、添付図面に基づいて詳細に説明する。
【００２９】
本発明による空気調和機の室内機においては、図５に示したように、キャビネット３０、ベース２、各フィルタ６、７、８及びフィルタフレーム１０を含むように構成される。
【００３０】
ここで、上記キャビネット３０は、上記室内機の外観を成す。上記ベース２は上記キャビネット３０の下部に設けられ、その前面に空気が吸入される下部吸入口３が形成される。上記ベース２の上面には吸入された空気中の異物質を除去する多層の各フィルタ６、７、８が装着される。該各フィルタ６、７、８は上記ベース２の上側に設けられるフィルタフレーム１０に装着される。
【００３１】
上記キャビネット３０は、図５及び図６に示したように、前面に対して後方に傾斜した各両側面４０ｂ、４０ｃを有する。該各両側面４０ｂ、４０ｃの上部には空気が吐出さる各側面吐出口４１、４２が形成され、その下部には空気が吸入される各側面吸入口５０ａ、５６ａが形成される。
【００３２】
ここで、上記各側面吸入口５０ａ、５６ａ及び各側面吐出口４１、４２には回転可能なベイン４３、４４、５１、５７が装着される。該各ベイン４３、４４、５１、５７は、吸入又は吐出される空気の風向を調節するか、又は各側面吐出口４１、４２を開閉する。上記各ベイン４３、４４、５１、５７はモータ（未図示）と連結され、該モータの駆動により上記ベインは回転する。
【００３３】
上記各ベインと連結されたモータは、マイクロコンピュータから発生する制御信号により選択的に作動する。従って、上記各側面吸入口５０ａ、５６ａ又は各側面吐出口４１、４２が選択的に開閉される。
【００３４】
一方、図示したように、上記キャビネット３０の後面に対して所定角度をなして前方に傾斜した一対の後方側面部３０ａが設けられる。該後方側面部３０ａは、上記室内機を室内の角に設置する時に両側壁面と密着する。従って、上記室内機を設置する時、室内の空間活用度を向上させる。
【００３５】
上記キャビネット３０の上部には、図５及び図６に示したように、上部吐出口４５が形成され、上記ベース２の前面には下部吸入口３が形成される。該下部吸入口３及び上部吐出口４５にもそれらを選択的に開閉するベイン４、４６が装着される。上記上部吐出口４５は、図示したように、上記キャビネット３０の上面に設けられることが好ましい。
【００３６】
上記各側面吸入口５０ａ、５６ａの内側にも、図７に示したように、空気中の異物質を除去するフィルタ５２が装着される。該フィルタ５２はフィルタガイド５３に挿入される。又、上記キャビネット３０の前面には開閉可能な前面パネル６０によりカバーされる。従って、上記空気調和機の内部部品が故障した時、上記前面パネルを開放した後、より簡単に修理し得る。
【００３７】
このために上記前面パネル６０の上側は、上記キャビネット３０の上面に装着された上側ブラケット６２ａと連結され、その下側は上記ベース２の上面に装着された下側ブラケット（図９の６２ｂ）と連結される。ここで、上記前面パネル６０とブラケット６２ａ、６２ｂはヒンジを使用して回転可能に連結される。従って、上記前面パネル６０は上記ヒンジを中心に回転して開閉される。この時、上記前面パネル６０に設けられたロッキング手段８２は上記キャビネット３０に形成された結合部８０と結合されるか、又は分離される。
【００３８】
一方、上記下部吸入口３が形成されたベース２の上側には多層の各フィルタ６、７、８が設けられる。
【００３９】
上記多層の各フィルタ６、７、８を順次に通過した空気はとてもきれいに浄化される。上記多層の各フィルタ６、７、８の上部には光触媒プラズマ空気清浄器７０が設けられる。
【００４０】
上記光触媒プラズマ空気清浄器７０は、高電圧発生器、電離部、捕集部及び光触媒フィルタを包含する。
【００４１】
ここで、上記高電圧発生部は、上記電離部に高電圧を印加して放電を誘導する。上記電離部は、上記放電時に発生したエネルギーにより空気中の埃を電離させて光エネルギーを照射する。上記捕集部は上記電離された埃を捕集する。上記光触媒フィルタは、上記電離部から照射された光エネルギーにより分解された臭い粒子を捕集する。
【００４２】
上記光触媒プラズマ空気清浄機７０の上部には、上記各ベイン４３、４４、５１、５７と連結されたモータを制御するマイコンピュータが収納されたコントローラ８４が設けられる。又、上記空気清浄機７０の上側には空気を送風する送風機及び熱交換器が設けられる。
【００４３】
一方、上記多層の各フィルタの装着構造は詳細に説明すると次の通りである。
【００４４】
図８は上記各フィルタの分解斜視図で、図９は上記各フィルタ及びフィルタフレームを示した斜視図で、図１０は図６の‘Ａ−Ａ’方向断面図である。
【００４５】
前面に下部吸入口３が形成されたベース２の上側には、図８及び図９に示したように、上記複数個の各フィルタ６、７、８が層を成して設けられる。又、上記下部吸入口３には、前面から吸入された空気を上側に案内するためにラウンド状の吸入ガイド３ａが形成される。
【００４６】
ここで、上記各フィルタ６、７、８は上記フィルタフレーム１０の内側に装着される。該フィルタフレーム１０は、カバー部及び各支持ガイド１１、１２を含む。ここで、上記カバー部は、各両側面１０ｂ及び後方面１０ａをカバーするフレームである。上記各支持ガイド１１、１２は、上記各カバー部１０ａ、１０ｂの内側に上下に所定間隔を有して多層に形成される。即ち、上記各支持ガイド１１、１２は、フィルタが挿入する空間が形成されるように多層に設けられる。
【００４７】
上記各支持ガイド１１、１２は、上記カバー部の前方両側面を連結する第１部材１１ａ、１２ａと、該第１部材１１ａ、１２ａと上記カバー部の後方面１０ａとを連結する各第２部材１１ｂ、１２ｂとを含む。従って、上記各部材の間を空気が通過する。又、上記各支持ガイド１１、１２、１３の間に各フィルタが挿入されて固定される。
【００４８】
上記カバー部の各両側面１０ｂの前方側上部は、図９に示したように、水平部１９ａと垂直部１９ｂとが反復する階段状を有して、上記各第１部材１１ａ、１２ａは上記各水平部１９ａに装着される。従って、上記フィルタフレーム１０の前方に設けられる各第１部材１１ａ、１２ａが相互干渉しない。
【００４９】
一方、上記カバー部の両側には第１ホール１４ａが形成された各突出部１４が設けられる。上記ベースの上面の上記第１ホール１４ａと対応する位置には第２ホール２ｅが形成され、ボルト１５が上記各ホール１４ａ、２ｅを貫通して上記ベース２に締結されることで、上記フィルタフレーム１０は上記ベース２の上側に固定される。
【００５０】
又、上記ベース２の上面には、上記突出部１４の位置を整列するアライン突起２ｄが設けられる。該アライン突起２ｄは上記突出部１４の外郭プロファイルの一部分、又は全部に沿って上側に突出する。従って、組立時に上記突出部１４とアライン突起２ｄとを接触さえすれば正確な位置にローディングされる。
【００５１】
一方、上記ベース２の上面両側には、“Ｌ”字状に突出して、第１フィルタ６が内側にスライディングしながら挿入される第１支持ガイド２ａが設けられる。即ち、該第１支持ガイド２ａにより上記ベース２の上面と上記フィルタフレーム１０の下面間に第１フィルタ６が挿入される空間が形成される。
【００５２】
上記フィルタフレーム１０に対して図９を参照して説明する。
上記フィルタフレーム１０は、図９に示したように、第２支持ガイド１１及び第３支持ガイド１２を含めて成る。ここで、上記第２支持ガイド１１は、その上面に第２フィルタ７、８がスライディングしながら挿入されるように上記フィルタフレーム１０の下部に設けられる。上記第３支持ガイド１２は、その上面に第３フィルタ８がスライディングしながら挿入されるように上記第２支持ガイド１１の上側に設けられる。
【００５３】
一方、上記第３支持ガイド１２の上面に挿入された第３フィルタ８が上側に離脱されることを防止するために、上記３支持ガイド１２の上側に“Ｌ”字状に突出した第４支持ガイド１３が設けられる。従って、上記第３フィルタ８は、上記第３支持ガイド１２の上面と第４支持ガイド１３間に挿入されて固定される。
【００５４】
図１０に示したように、上記ベース２の上側に多層の各フィルタ６、７、８が設けられる。
ここで、上記第１フィルタ６の内側には、空気中の埃を漉すプリフィルタ６ａが設けられる。上記プリフィルタ６ａの縁には支持フレーム６ｂが設けられる。
上記第２フィルタ７の縁にも支持フレーム７ａが設けられる。上記第２フィルタ７の内側には、ヘパフィルタ７ｂ、各ナノカーボンフィルタ７ｃ、７ｄ及び不織布７ｅが積層される。ここで、上記ヘパフィルタ７ｂの上側には、酸性ナノカーボン７ｃと塩基性ナノカーボンフィルタ７ｄが順次に設けられる。一方、上記不織布７ｅは上記カーボンが飛ばされることを防止する。
【００５５】
上記第３フィルタ８の支持フレーム８ａの内側にはナノ銅フィルタ８ｂとナノ銀フィルタ８ｃが設けられる。
【００５６】
以下、本発明による空気調和機の動作に対して説明する。
図８及び図９に示したように、上記ベース２の上側に形成された各支持ガイド２ｂ、１１、１２、１３間にスライディングしながら各フィルタ７、８、９が着脱可能に挿入される。即ち、上記フィルタフレーム１０の開口された前方を通って上記各フィルタが挿入される。
【００５７】
ここで、上記各支持ガイド２ｂ、１１、１２、１３は上記各フィルタ７、８、９の挿入を案内する。又、上記各支持ガイド２ｂ、１１、１２、１３の間に上記各フィルタの支持フレーム６ａ、７ａ、８ａがクランピングされて安定的に固定される。
【００５８】
上記空気調和機は、冷房／暖房運転又は空気浄化運転を選択的に遂行することができる。
先ず、室内を冷／暖房するために作動する場合には、上記空気調和機の室内機において、全ての各吸入口３、５０ａ、５６ａ及び各吐出口４１、４２、４５に設けられた各ベイン４、５１、５７、４３、４６が全部開放される。上記のように、上記各ベイン４、５１、５７、４３、４６は、マイクロコンピュータにより制御されるモータと連結される。従って、上記送風機が作動すると、室内の空気は上記下部吸入口及び各側面吸入口５０ａ、５６ａを通して上記キャビネット３０の内部に吸入される。該吸入された空気は、上記各フィルタ６、７、８、５２及び光触媒プラズマ空気清浄機７０を通過した後に熱交換器と熱交換される。
【００５９】
次いで、上記熱交換された空気は、上記上部吐出口４５及び各側面吐出口４１、４２を通して室内に再び吐出される。従って、室内の空気は三面から吸入され、三面に吐出される。
【００６０】
ここで、複数個の吸入口及び吐出口が開放されるため、熱交換器を通過する空気の風量が増大する。反面、相対的に脆弱なフィルタ構造を有する各側面吸入口５０ａ、５６ａを通して空気が流入するため、空気浄化性能は優秀ではない。
【００６１】
一方、室内の空気を浄化するために作動する場合には、上記空気調和機の室内機においては、上記下部吸入口３及び上記上部吐出口４５に設けられた各ベイン４、４６は開放され、上記各側面吸入口５０ａ、５６ａ及び各側面吐出口４１、４２に設けられた各ベイン５１、５７は閉鎖される。
【００６２】
従って、室内の空気は、上記下部吸入口３のみを通して吸入される。この時、吸入された空気は上記下部吸入口３の上側に設けられた多層の各高性能フィルタ６、７、８を通過するので、一層効果的に浄化される。即ち、開放された吸入口及び吐出口の個数は少ないが、吸入された空気が一層きれいに浄化される。次いで、上記浄化された空気は上記上部吐出口４５を通して室内に再び吐出される。
【００６３】
以下、上記多層の各フィルタによる空気浄化過程に対して説明する。上記第１フィルタ６は、空気中の大きい埃をフィルタリングする。上記第２フィルタ７のへパフィルタ７ｂでは微細埃がフィルタリングされ、上記各ナノカーボンフィルタ７ｃ、７ｄでは臭い粒子及び微細埃がフィルタリングされる。次いで、上記空気は、上記第３フィルタ８のナノ銅フィルタ８ｂ及びナノ銀フィルタ８ｃを通過しながら抗菌及び脱臭される。
又、上記各フィルタを通過した空気は、上記光触媒プラズマ空気清浄機７０を通過した後上記キャビネット３０の上部に形成された上部吐出口４５を通して吐出される。ここで、上記光触媒プラズマ空気清浄機７０は空気中の埃又は臭い粒子をイオン化して捕集する。
【００６４】
以上説明したように、本発明による空気調和機の室内機は、運転目的により吸入口及び吐出口の開閉を制御することで、より効率的に空気を調和させる。
一方、上記空気調和機の停止時には上記吸入口及び吐出口の各ベインが全部閉鎖される。従って、室内の埃が上記キャビネットの内部に流入することを遮断する。又、上記前面パネルを開放した後に上記各フィルタを前方に引出し得るので、上記各フィルタの交替が容易である。
【図面の簡単な説明】
【００６５】
【図１】従来技術による空気調和機における空気吐出口が開放された室内機を示した正面図である。
【図２】従来技術による室内機を示した分解斜視図である。
【図３】従来技術による空気吐出口が密閉された室内機を示した斜視図である。
【図４】従来技術による空気吐出口が開放された室内機を示した斜視図である。
【図５】本発明による空気調和機の室内機を示した斜視図である。
【図６】本発明による室内機を示した正面図である。
【図７】本発明による前面パネルが開放された室内機を示した斜視図である。
【図８】本発明による室内機の下部吸入口に装着された各フィルタを示した斜視図である。
【図９】本発明による室内機のフィルタ及びフィルタフレームを示した斜視図である。
【図１０】本発明による室内機のフィルタ及びフィルタフレームを示した断面図である。
【符号の説明】
【００６６】
２  ベース
３  下部吸入口
６  第１フィルタ
７  第２フィルタ
８  第３フィルタ
１０  フィルタフレーム
１１  第２支持ガイド
１２  第３支持ガイド
１３  第４支持ガイド
３０  キャビネット
４０ａ、４０ｂ  側面傾斜部
４１、４２  側面吐出口
４５  上部吐出口
５０ａ、５６ａ  側面吸入口
４、４３、４４、４６、５１、５７  ベイン
６０  前面パネル
【図１】
2005221220.tif 000003
【図２】
2005221220.tif 000004
【図３】
2005221220.tif 000005
【図４】
2005221220.tif 000006
【図５】
2005221220.tif 000007
【図６】
2005221220.tif 000008
【図７】
2005221220.tif 000009
【図８】
2005221220.tif 000010
【図９】
2005221220.tif 000011
【図１０】
2005221220.tif 000012